(57)【特許請求の範囲】
【請求項１】
アンモニア系還元剤を内燃機関の排気管内に添加する添加弁とこの添加弁を冷却状態で排気管に接続する冷却機構との間のシール構造であって、
前記冷却機構に形成された添加弁収納空間の内周面と前記添加弁の外周面との間に、膨張黒鉛製シールと樹脂製シールとを前記排気管側から順に配置し、前記膨張黒鉛製シールと前記樹脂製シールとを接触させたことを特徴とする添加弁シール構造。
【請求項２】
請求項１に記載の添加弁シール構造において、前記アンモニア系還元剤は、尿素水溶液であることを特徴とする添加弁シール構造。
【請求項３】
請求項１に記載の添加弁シール構造において、前記アンモニア系還元剤は、アンモニアガスであることを特徴とする添加弁シール構造。
【請求項４】
請求項１〜３のいずれか一項に記載の添加弁シール構造において、前記冷却機構は、添加弁を空気冷却するものであることを特徴とする添加弁シール構造。
【請求項５】
請求項１〜４のいずれか一項に記載の添加弁シール構造において、前記冷却機構に形成された添加弁収納空間の内周面と前記添加弁の外周面との間に、前記樹脂製シールに対する熱膨張スペースが、前記膨張黒鉛製シールとは反対側に設けられていることを特徴とする添加弁シール構造。
【請求項６】
請求項１〜５のいずれか一項に記載の添加弁シール構造において、前記排気管は、前記添加弁より下流に窒素酸化物浄化用触媒を配置し、この窒素酸化物浄化用触媒にて前記アンモニア系還元剤が還元作用を生じるものであることを特徴とする添加弁シール構造。
【発明の詳細な説明】
【技術分野】
【０００１】
本発明は、アンモニア系還元剤を内燃機関の排気管内に添加する添加弁とこの添加弁を冷却状態で排気管に接続する冷却機構との間のシール構造に関する。
【背景技術】
【０００２】
内燃機関から排出されるＮＯｘ（窒素酸化物）を還元する窒素酸化物浄化装置として、ＳＣＲ（Ｓｅｌｅｃｔｉｖｅ  Ｃａｔａｌｙｔｉｃ  Ｒｅｄｕｃｔｉｏｎ）システムが知られている（例えば特許文献１参照）。このＳＣＲシステムを用いた排気浄化装置は、窒素酸化物浄化用触媒を備え、この触媒に、例えば尿素水溶液やアンモニアガスなどを還元剤として排気管内に噴射することにより、その還元作用により排気に含まれるＮＯｘを選択的に窒素や水に還元している。
【先行技術文献】
【特許文献】
【０００３】
【特許文献１】特開２０１０−１４０８３号公報（第７〜８頁、図７）
【発明の概要】
【発明が解決しようとする課題】
【０００４】
特許文献１では、添加弁として、噴射装置を内燃機関の排気管に取り付け、その先端を排気管の内部空間に挿入している。しかし添加弁への熱害を防止するためには、冷却機構を介して排気管に添加弁を接続する必要がある。
【０００５】
この場合、冷却機構に添加弁収納空間を形成してその中に添加弁を配置することになる。このような添加弁取り付け構造では、添加弁収納空間の内周面と添加弁の外周面との間から外部に排気が漏出したり、あるいは外部から水が浸入したりするのを防止するために、平滑な座面を内周面と外周面とに形成してオーリングを配置するのが通常である。
【０００６】
ところが収納空間の内周面形状や添加弁の外周面形状の制約により、オーリング配置にとって十分な形状の座面が確保できない場合がある。このように十分な形状が確保されていない座面に対してオーリングを配置すると、オーリングが小径側へ脱落したり、座面角部がオーリングに食い込んでオーリングを傷つけたりするおそれがある。このことによりシールの耐久性に問題を生じる。
【０００７】
本発明は、形状的に制約がある添加弁収納空間の内周面と添加弁の外周面との間の間隙を、耐久性に問題を生じることなくシールできるシール構造を提供することを目的とするものである。
【課題を解決するための手段】
【０００８】
以下、上記目的を達成するための手段及びその作用・効果について記載する。
請求項１に記載の添加弁シール構造では、アンモニア系還元剤を内燃機関の排気管内に添加する添加弁とこの添加弁を冷却状態で排気管に接続する冷却機構との間のシール構造であって、前記冷却機構に形成された添加弁収納空間の内周面と前記添加弁の外周面との間に、膨張黒鉛製シールと樹脂製シールとを前記排気管側から順に配置し、前記膨張黒鉛製シールと前記樹脂製シールとを接触させたことを特徴とする。
【０００９】
樹脂製シールであることにより、添加弁収納空間の内周面と添加弁の外周面とに対して、シールのための座面形状を特別に形成する必要はない。樹脂製シール自体を、添加弁収納空間の内周面と添加弁の外周面との間の間隙の形状に適合させた形状に成形することで、前記内周面や前記外周面の形状が制約されていても、その制約された形状そのものを十分にシール可能な座面として利用できる。
【００１０】
しかもこの添加弁収納空間の内周面と添加弁の外周面との間隙部分は、排気管側からの熱の通り道であり、熱害を受けない範囲で樹脂製シールを昇温させることができる。この昇温により膨張しかつ柔軟性を増した樹脂製シールは、前記間隙を充填し、かつ内外周面に密着して、より確実なシール効果を果たすことができる。
また、添加弁収納空間の内周面と添加弁の外周面との間において、樹脂製シールよりも排気管側に膨張黒鉛製シールを配置することで、樹脂製シールが排気から直接受熱しないようにできる。更に膨張黒鉛製シールにより添加弁先端側が排気から受ける熱を迅速に空冷機構に逃して添加弁に熱害が及ばないようにできる。
そして樹脂製シールは膨張黒鉛製シールに接触している。この接触による膨張黒鉛製シールからの伝熱により、樹脂製シールの温度を、熱害を生じない程度に迅速に昇温させることができる。この昇温により樹脂製シールは膨張し、かつ柔軟性が増加する。このことにより樹脂製シールは、前記間隙を充填し、かつ内外周面に密着することで、より確実なシール効果を果たすことができる。
【００１１】
このことにより形状的に制約がある添加弁収納空間の内周面と添加弁の外周面との間の間隙を、耐久性に問題を生じることなくシールすることができる。
請求項２に記載の添加弁シール構造では、請求項１に記載の添加弁シール構造において、前記アンモニア系還元剤は、尿素水溶液であることを特徴とする。
【００１２】
アンモニア系還元剤としては排気管内での加熱により尿素が加水分解してアンモニアを発生する尿素水溶液を挙げることができる。
請求項３に記載の添加弁シール構造では、請求項１に記載の添加弁シール構造において、前記アンモニア系還元剤は、アンモニアガスであることを特徴とする。
【００１３】
アンモニア系還元剤としてはアンモニアガス自身を用いても良い。
請求項４に記載の添加弁シール構造では、請求項１〜３のいずれか一項に記載の添加弁シール構造において、前記冷却機構は、添加弁を空気冷却するものであることを特徴とする。
【００１４】
冷却機構が空気冷却するものが挙げられる。空気冷却による冷却機構では構成が簡素化されていることから、この簡素化された構成が、オーリングでは適用できない構成でも樹脂製シールならば適用でき、確実なシール効果を果たすことができる。このことにより形状的に制約がある添加弁収納空間の内周面と添加弁の外周面との間の間隙を、耐久性に問題を生じることなくシールすることができる。
【００１８】
請求項５に記載の添加弁シール構造では、請求項１〜４のいずれか一項に記載の添加弁シール構造において、前記冷却機構に形成された添加弁収納空間の内周面と前記添加弁の外周面との間に、前記樹脂製シールに対する熱膨張スペースが、前記膨張黒鉛製シールとは反対側に設けられていることを特徴とする。
【００１９】
このように熱膨張スペースが存在することにより、熱膨張した樹脂製シールに必要以上の変形や歪みを生じさせることがない。このため添加弁シール構造の耐久性を維持できる。
【００２０】
請求項６に記載の添加弁シール構造では、請求項１〜５のいずれか一項に記載の添加弁シール構造において、前記排気管は、前記添加弁より下流に窒素酸化物浄化用触媒を配置し、この窒素酸化物浄化用触媒にて前記アンモニア系還元剤が還元作用を生じるものであることを特徴とする。
【００２１】
アンモニア系還元剤は、窒素酸化物浄化用触媒で還元作用を生じさせるために排気中に添加されるものを挙げることができる。
【図面の簡単な説明】
【００２２】
【図１】実施の形態１の排気浄化装置の概要を示す構成図。
【図２】実施の形態１の尿素水添加弁の取り付け構造断面図。
【図３】実施の形態２の尿素水添加弁の取り付け構造断面図。
【発明を実施するための形態】
【００２３】
［実施の形態１］
〈実施の形態１の構成〉図１は、上述した発明が適用された排気浄化装置２の概要を示す構成図である。この排気浄化装置２は触媒を用いて排気中のＮＯｘを浄化する尿素ＳＣＲシステムとして構成されている。
【００２４】
排気浄化装置２は、ＳＣＲ触媒４、尿素水添加弁６、尿素水タンク８及び圧送ポンプ１０を備えている。
ＳＣＲ触媒４は、車両に搭載された内燃機関の排気管１２に接続されて排気中のＮＯｘを還元反応により浄化する選択還元型触媒である。
【００２５】
尿素水添加弁６は、排気管１２にてＳＣＲ触媒４の上流側に、後述する空冷機構２４を介して取り付けられている。この尿素水添加弁６へは、圧送ポンプ１０により尿素水タンク８に貯留されている尿素水（尿素水溶液に相当）がフィルタ１４を介して圧送されてくる。このことにより尿素水添加弁６から排気管１２の内部空間に尿素水を添加することができる。
【００２６】
この尿素水は排気中で加熱されることで尿素が加水分解されてアンモニアを発生するアンモニア系還元剤である。このように発生したアンモニアがＳＣＲ触媒４にてＮＯｘに対する還元作用を示し、ＮＯｘを窒素と水とに還元する。このことで排気が浄化される。
【００２７】
圧送ポンプ１０の尿素水供給圧力は圧力調整弁１６により調節され、余剰な尿素水は圧力調整弁１６から尿素水タンク８側へ戻される。
尿素水添加弁６による尿素水添加量や圧送ポンプ１０の駆動制御はＥＣＵ（電子制御ユニット）１８により実行される。この制御のためにＥＣＵ１８は、各種データ、例えば尿素水添加弁６への尿素水供給路に設けられた圧力センサ２０から尿素水の供給圧力を検出している。
【００２８】
排気管１２に対する尿素水添加弁６の取り付け構造の断面を図２に示す。尿素水添加弁６は直接、排気管１２に接続されているのではなく、空冷機構２４を介して排気管１２に接続されている。
【００２９】
空冷機構２４はアルミニウム合金などの金属製である。そのハウジング２４ａは略円筒形をなし、外周部に円盤状の冷却フィン２４ｂが一体成形あるいは接合により形成されている。
【００３０】
ハウジング２４ａの内部は添加弁収納空間２４ｃを形成し、中心部には尿素水添加弁６のノズル部６ａを収納している。尿素水添加弁６は、空冷機構２４の挿入口２４ｄから挿入されて、尿素水添加弁６の基部に存在する段差部６ｂが、挿入口２４ｄに配置されているリング状ストッパ２４ｅに当接することで軸方向での位置決めがされている。
【００３１】
添加弁収納空間２４ｃの内周面２４ｆと尿素水添加弁６の外周面６ｃとの間には、円筒状の膨張黒鉛製シール２６とリング状の樹脂製シール２８とが配置されている。膨張黒鉛製シール２６は樹脂製シール２８よりも排気管１２側に配置されている。このことにより尿素水添加弁６は、添加弁収納空間２４ｃの内周面２４ｆに直接接触することなく、その中心軸位置に位置決めされる。
【００３２】
膨張黒鉛製シール２６は、膨張黒鉛を円筒状に成形加工したものである。膨張黒鉛のみで構成する以外に、膨張黒鉛と金属箔や金属ネットなどとの複合材であっても良い。
樹脂製シール２８は、尿素水添加弁６の外周面６ｃと添加弁収納空間２４ｃの内周面２４ｆとの間隙形状に対応させて、樹脂をリング状に成形したものである。この樹脂製シール２８は、膨張黒鉛製シール２６に対して、排気管１２とは反対側に配置されて、排気が流れる排気管１２の内部空間１２ａとは離れている。そして膨張黒鉛製シール２６に対しては、樹脂製シール２８は接触した状態で配置されている。
【００３３】
〈実施の形態１の作用〉膨張黒鉛製シール２６が、樹脂製シール２８よりも、排気管１２側に配置されていることで、破線の矢線にて示すごとく、ノズル部６ａの先端部分が排気から受けた熱は、直ちに膨張黒鉛製シール２６を介してハウジング２４ａに伝達される。そして冷却フィン２４ｂから外気側へ放熱される。すなわち尿素水添加弁６は空冷機構２４により空冷される。このため尿素水添加弁６の全体が高温とならない。
【００３４】
樹脂製シール２８についてもノズル部６ａ、膨張黒鉛製シール２６、あるいはハウジング２４ａから伝熱される前に、破線の矢線のごとく熱流が生じて冷却フィン２４ｂからほとんどの熱が放出されるので、樹脂製シール２８は劣化するような過剰な高温にはならない。
【００３５】
このように樹脂製シール２８は過剰な高温とはならないが、膨張黒鉛製シール２６の外側端部に接触していることから、ノズル部６ａや排気から膨張黒鉛製シール２６に伝熱された熱が、膨張黒鉛製シール２６を軸方向に迅速に伝導して、樹脂製シール２８に達する。この熱を受けて、樹脂製シール２８は早期に昇温する。
【００３６】
このため樹脂製シール２８は内燃機関の運転を開始すると、迅速に熱膨張すると共に柔軟性が増加する。このことにより樹脂製シール２８は、添加弁収納空間２４ｃの内周面２４ｆと尿素水添加弁６の外周面６ｃとの間隙を迅速に充填し、内周面２４ｆと外周面６ｃとに密着する。したがって常温時に樹脂製シール２８がクリープ変形により添加弁収納空間２４ｃの内周面２４ｆと尿素水添加弁６の外周面６ｃに対する密着性が低下していても、内燃機関運転時の迅速な加熱により、早期に充填性及び密着性が向上してシールとしての作用を十分に果たすことができる。
【００３７】
樹脂製シール２８において、膨張黒鉛製シール２６と接触している側とは反対側では、空き空間２４ｇが存在する。このことから、必要以上の樹脂製シール２８の熱膨張については、その空き空間２４ｇが熱膨張スペースとして、熱膨張した余剰の体積分を吸収する。
〈実施の形態１の効果〉（１）本実施の形態では排気の漏れや水の浸入を阻止するためのシール構造としては、オーリングでなく樹脂製シール２８を用いている。このように樹脂製シール２８であれば、オーリングと異なり、添加弁収納空間２４ｃの内周面２４ｆ及び尿素水添加弁６の外周面６ｃの形状に適合させた形状に成形できる。
【００３８】
このことにより添加弁収納空間２４ｃの内周面２４ｆの形状や尿素水添加弁６の外周面６ｃの形状が制約されていても、この制約された形状そのものを、図２に示したごとく十分にシール可能な座面として利用できる。
【００３９】
このことにより形状的に制約がある添加弁収納空間２４ｃの内周面２４ｆと尿素水添加弁６の外周面６ｃとの間の間隙を、耐久性に問題を生じることなくシールすることができる。
【００４０】
（２）添加弁収納空間２４ｃの内周面２４ｆと尿素水添加弁６の外周面６ｃとの間では、樹脂製シール２８よりも排気管１２側に膨張黒鉛製シール２６を配置している。このことで樹脂製シール２８が、高温の排気から直接受熱しないようにできる。
【００４１】
更に尿素水添加弁６の先端側が排気から受ける熱は、膨張黒鉛製シール２６により迅速に空冷機構２４に逃すことができ、尿素水添加弁６に熱害が及ばないようにできる。
（３）樹脂製シール２８は膨張黒鉛製シール２６に接触している。このことにより膨張黒鉛製シール２６からの伝熱により熱害を生じない程度に樹脂製シール２８を迅速に昇温できる。この昇温により樹脂製シールは膨張しかつ柔軟性が増加する。
【００４２】
このことにより樹脂製シール２８は、添加弁収納空間２４ｃの内周面２４ｆと尿素水添加弁６の外周面６ｃとの間隙を充填しかつ密着する。このことで確実なシール効果を果たすことができる。
【００４３】
（４）樹脂製シール２８に対して、空き空間２４ｇが膨張黒鉛製シール２６とは反対側に設けられている。このように空き空間２４ｇが存在することで、この空き空間２４ｇが熱膨張スペースとなり、熱膨張した樹脂製シール２８に必要以上の変形や歪みを生じさせることがない。このため樹脂製シール２８によるシール構造の耐久性を維持できる。
【００４４】
［実施の形態２］
〈実施の形態２の構成〉本実施の形態では、図３に示すごとく、挿入口１２４ｄ以外において、空冷機構１２４のハウジング１２４ａの内周面１２４ｆ，１２４ｉには、一段径が大きくなっている部分（内周面１２４ｉ）が、挿入口１２４ｄに隣接した位置に存在する。
【００４５】
この内周面１２４ｉの位置に、この内周面１２４ｉと尿素水添加弁１０６の外周面１０６ｃとの形状に対応した樹脂製シール１２８が配置されている。
２つの内周面１２４ｆ，１２４ｉの間には段差１２４ｊが存在するため、樹脂製シール１２８は膨張黒鉛製シール１２６に接触することなく段差１２４ｊ部分で支持されている。このことにより樹脂製シール１２８と膨張黒鉛製シール１２６との間には間隙１２４ｋが存在する。
【００４６】
空冷機構１２４の他の構成、尿素水添加弁１０６及び排気管１１２の構成は前記実施の形態１と同じである。
〈実施の形態２の作用〉膨張黒鉛製シール１２６による尿素水添加弁１０６の冷却作用は前記実施の形態１で述べたごとくである。
【００４７】
本実施の形態では、樹脂製シール１２８は膨張黒鉛製シール１２６に接触していないので、直接的な伝熱は膨張黒鉛製シール１２６からはなされない。この構成により膨張黒鉛製シール１２６が特に高温化するような位置に空冷機構１２４が配置されている場合に、間隙１２４ｋにより、必要以上に樹脂製シール１２８の温度が上がらないようにすることができる。
〈実施の形態２の効果〉（１）前記実施の形態１の効果の（３）以外は、前記実施の形態１と同様な効果を生じ、このことにより形状的に制約がある添加弁収納空間１２４ｃの内周面１２４ｉと尿素水添加弁１０６の外周面１０６ｃとの間の間隙を、耐久性に問題を生じることなくシールすることができる。
【００４８】
（２）樹脂製シール１２８の高さにより、樹脂製シール１２８と膨張黒鉛製シール１２６との間の間隙１２４ｋの高さ調節ができる。このことにより、樹脂製シール１２８の耐熱性に対応した樹脂製シール１２８の温度調節が可能となる。したがって内燃機関運転時に、樹脂製シール１２８の耐熱性、熱膨張性、柔軟性といった材質に適合した昇温状態にすることができる。
【００４９】
［その他の実施の形態］
・前記各実施の形態においては、尿素水添加弁６，１０６が添加するアンモニア系還元剤は、加水分解してアンモニアを発生する尿素水であったが、これ以外のアンモニア系還元剤としては、アンモニアガスでも良い。
【符号の説明】
【００５０】
２…排気浄化装置、４…ＳＣＲ触媒、６…尿素水添加弁、６ａ…ノズル部、６ｂ…段差部、６ｃ…外周面、８…尿素水タンク、１０…圧送ポンプ、１２…排気管、１２ａ…内部空間、１４…フィルタ、１６…圧力調整弁、１８…ＥＣＵ、２０…圧力センサ、２４…空冷機構、２４ａ…ハウジング、２４ｂ…冷却フィン、２４ｃ…添加弁収納空間、２４ｄ…挿入口、２４ｅ…リング状ストッパ、２４ｆ…内周面、２４ｇ…空き空間、２６…膨張黒鉛製シール、２８…樹脂製シール、１０６…尿素水添加弁、１０６ｃ…外周面、１１２…排気管、１２４…空冷機構、１２４ａ…ハウジング、１２４ｃ…添加弁収納空間、１２４ｄ…挿入口、１２４ｆ，１２４ｉ…内周面、１２４ｊ…段差、１２４ｋ…間隙、１２６…膨張黒鉛製シール、１２８…樹脂製シール。
【図１】
0005787082.tif 000002
【図２】
0005787082.tif 000003
【図３】
0005787082.tif 000004